(57)【要約】      （修正有）【課題】受診者が自己の健康状態の度合いを感覚的に理解することを可能とする、健康診断結果表示用紙を提供する。【解決手段】健康診断結果表示用紙１は、複数の検査項目に関して、検査項目ごとの基準値を表示する基準値表示欄１１ａと、当該項目における受診者の診断結果値を表示する結果値表示欄１１ｂと、当該項目の基準値と受診者の診断結果値とに基づいて算出された評価点数を表示する評価点数表示欄１１ｃと、が設けられた結果表示部１１と、結果値表示欄１１ｂで表示される受診者の診断結果値の総合成績を１００点満点で表示する点数表示欄１２ａと、総合成績の全体順位を表示する順位表示欄１２ｂと、が設けられた成績表示部１２と、を用紙表面の左側に備える。【選択図】図１
0003224929.tif 000002
【実用新案登録請求の範囲】
【請求項１】
健康診断の結果を表示する、健康診断結果表示用紙であって、
複数の検査項目に関して、基準値と、受診者の診断結果値と、受診者の評価点数と、を表示する、結果表示部と、
受診者の前記診断結果値の総合成績と、前記総合成績の全体順位と、を表示する、成績表示部と、を備える、健康診断結果表示用紙。
【請求項２】
複数の項目について、前記診断結果値に基づいて算出した受診者の健康年齢を表示する、健康年齢表示部を備える、請求項１に記載の健康診断結果表示用紙。
【請求項３】
前記健康年齢について最良な項目と最悪な項目とを順に表示する、順位表示部を備える、請求項２に記載の健康診断結果表示用紙。
【請求項４】
受診者が自己の健康管理に関する目標を記入する、目標記入部を備える、請求項１から請求項３の何れか１項に記載の健康診断結果表示用紙。
【請求項５】
関連団体の連絡先を示す二次元コードを表示する、二次元コード表示部を備える、請求項１から請求項４の何れか１項に記載の健康診断結果表示用紙。
【考案の詳細な説明】
【技術分野】
【０００１】
本考案は、健康診断を受診した結果を表示するための健康診断結果表示用紙に関する。
【背景技術】
【０００２】
従来、健康診断を受診した際に、受診者に診断結果を報知するために、当該診断結果が記載された健康診断結果表示用紙が用いられている（例えば、特許文献１を参照）。
【先行技術文献】
【特許文献】
【０００３】
【特許文献１】実用新案登録第３０７１９１３号公報
【考案の概要】
【考案が解決しようとする課題】
【０００４】
上述の従来技術文献に記載の健康診断結果表示用紙は、血液検査等の結果が表示されているものの、受診者にとって自己の健康状態の度合いを感覚的に理解し難いという問題があった。
【０００５】
本考案は、上述の課題に鑑みてなされたものであり、受診者にとって自己の健康状態の度合いを感覚的に理解することを可能とする、健康診断結果表示用紙を提供することを目的としている。
【課題を解決するための手段】
【０００６】
本考案は、前述の課題解決のために、以下の健康診断結果表示用紙を構成した。
【０００７】
（１）健康診断の結果を表示する、健康診断結果表示用紙であって、複数の検査項目に関して、基準値と、受診者の診断結果値と、受診者の評価点数と、を表示する、結果表示部と、受診者の前記診断結果値の総合成績と、前記総合点の全体順位と、を表示する、成績表示部と、を備える、健康診断結果表示用紙。
【０００８】
（２）複数の項目について、前記診断結果値に基づいて算出した受診者の健康年齢を表示する、健康年齢表示部を備える、（１）に記載の健康診断結果表示用紙。
【０００９】
（３）前記健康年齢について最良な項目と最悪な項目とを順に表示する、順位表示部を備える、（２）に記載の健康診断結果表示用紙。
【００１０】
（４）受診者が自己の健康管理に関する目標を記入する、目標記入部を備える、（１）から（３）の何れか一に記載の健康診断結果表示用紙。
【００１１】
（５）関連団体の連絡先を示す二次元コードを表示する、二次元コード表示部を備える、（１）から（４）の何れか一に記載の健康診断結果表示用紙。
【考案の効果】
【００１２】
本考案に係る健康診断結果表示用紙によれば、受診者にとって自己の健康状態の度合いを感覚的に理解することが可能となる。
【図面の簡単な説明】
【００１３】
【図１】本考案の健康診断結果表示用紙を示す平面図。
【考案を実施するための形態】
【００１４】
以下、本考案の一実施形態に係る健康診断結果表示用紙１を図１に基づいて説明する。図１に示す如く、健康診断結果表示用紙１は、病院等において健康診断を受診した受診者の健康診断の結果を表示するための用紙である。
【００１５】
図１に示す如く、健康診断結果表示用紙１は、同一の面（表面）に、結果表示部１１、成績表示部１２、健康年齢表示部１３、順位表示部１４、目標記入部１５、及び、二次元コード表示部１６を備える。以下、各表示部について順に説明する。
【００１６】
結果表示部１１は、複数の検査項目に関して、当該検査項目についての基準値と、受診者の診断結果値と、受診者の評価点数と、受信者の過去の診断結果値と、を表示する。具体的には図１に示す如く、結果表示部１１には、検査項目ごとの基準値を表示する基準値表示欄１１ａと、当該項目における受診者の診断結果値を表示する結果値表示欄１１ｂと、当該項目の基準値と受診者の診断結果値とに基づいて算出された評価点数を表示する評価点数表示欄１１ｃと、当該項目における受信者の過去の診断結果値を表示する過去結果表示欄１１ｄ・１１ｄ・・・と、受診者による検査値の見方を表示する見方表示欄１１ｅと、が設けられる。
【００１７】
本実施形態に係る健康診断結果表示用紙１において、結果表示部１１は例示として脂質に関する中性脂肪、ＨＤＬコレステロール、ＬＤＬコレステロールについて表示しているが、血圧、血糖、肝機能、腎機能等、他の検査項目について表示することも可能である。
【００１８】
成績表示部１２には、結果表示部１１における結果値表示欄１１ｂで表示される受診者の診断結果値の総合成績を１００点満点で表示する点数表示欄１２ａと、この総合成績の全体順位を表示する順位表示欄１２ｂと、が設けられる。なお、本実施形態では総合成績を１００点満点で表示する例を示すが、１０００点満点等、他の点数で表示しても良い。
【００１９】
本実施形態に係る健康診断結果表示用紙１においては、上記の如く自己の診断結果について、客観的な成績が点数と相対的な順位とで表示される。このため、自己の健康状態の度合いについて、受診者が感覚的に理解することが可能となる。
【００２０】
健康年齢表示部１３には、複数の項目について、診断結果値に基づいて算出した受診者の健康年齢を表示する、健康年齢表示欄１３ａと、それぞれの項目についての課題（各項目を改善するための提案）を表示する、課題表示欄１３ｂと、が設けられる。
【００２１】
本実施形態に係る健康診断結果表示用紙１において、健康年齢表示部１３は例示として糖尿病及び高血圧について表示しているが、心臓病、肝臓病、腎臓病、睡眠、食事等、他の項目について表示することも可能である。
【００２２】
本実施形態に係る健康診断結果表示用紙１においては、上記の如く自己の診断結果に基づいて、各項目に関する自己の健康年齢が表示されるため、自己の健康状態の度合いについて、受診者がより深く理解することが可能となる。また、各項目について課題が表示されるため、受診者が健康を保つとともに病気に対して予防及び治療の提案を得ることができる。
【００２３】
順位表示部１４には、健康年齢表示部１３で表示された健康年齢について、最良な項目（健康年齢が低いもの）を順に三個表示する、ベスト項目表示欄１４ａと、最悪な項目（健康年齢が高いもの）とを順に三個表示する、ワースト項目表示欄１４ｂと、が設けられる。
【００２４】
本実施形態に係る健康診断結果表示用紙１においては、上記の如く自己の診断結果に基づいて、各項目に関する自己の健康年齢の良し悪しが具体的に一覧できるように表示されるため、自己の健康状態の度合いについて、受診者がより深く理解することが可能となる。
【００２５】
目標記入部１５には、受診者が自己の健康管理に関する目標を記入する、管理目標記入欄１５ａが設けられる。受診者は、順位表示部１４におけるワースト項目表示欄１４ｂと、健康年齢表示部１３における課題表示欄１３ｂと、の記載に基づいて、管理目標記入欄１５ａに三個の自己の健康管理目標を記入する。
【００２６】
本実施形態に係る健康診断結果表示用紙１においては、上記の如く自己の診断結果に基づいて、受診者が自己の健康管理目標を記入できるため、より積極的に自己の健康を管理することができる。即ち、自己の食生活、運動習慣、生活習慣等について、改善する必要のある事項について決意表明を文章化することができる。これにより、より効果的に受診者の健康状態を維持することが可能となる。
【００２７】
二次元コード表示部１６には、関連団体の連絡先を示す二次元コード１６ａ・１６ａ・・・が表示される。受診者は、この二次元コード１６ａから、病院や医療機関等、関連する団体にアクセスし、健康、身体、精神的安定についての具体的な質問、指導、提案、案内等、様々な情報を得ることが可能となる。
【符号の説明】
【００２８】
１    健康診断結果表示用紙       １１    結果表示部             
１１ａ  基準値表示欄               １１ｂ  結果値表示欄           
１１ｃ  評価点数表示欄             １１ｄ  過去結果値表示欄       
１１ｅ  見方表示欄                 １２    成績表示部             
１２ａ  点数表示欄                 １２ｂ  順位表示欄             
１３    健康年齢表示部             １３ａ  健康年齢表示欄         
１３ｂ  課題表示欄                 １４    順位表示部             
１４ａ  ベスト項目表示欄           １４ｂ  ワースト項目表示欄     
１５    目標記入部                 １５ａ  管理目標記入欄         
１６    二次元コード表示部         １６ａ  二次元コード           
【図１】
0003224929.tif 000003
【手続補正書】
【提出日】令和1年10月11日(2019.10.11)
【手続補正１】
【補正対象書類名】実用新案登録請求の範囲
【補正対象項目名】全文
【補正方法】変更
【補正の内容】
【実用新案登録請求の範囲】
【請求項１】
健康診断の結果を表示する、健康診断結果表示用紙であって、
表面の左側に、複数の検査項目に関して、前記検査項目ごとの基準値を表示する基準値表示欄と、前記検査項目における受診者の診断結果値を表示する結果値表示欄と、前記基準値と受診者の前記診断結果値とに基づいて算出された評価点数を表示する評価点数表示欄と、が設けられた、結果表示部と、
表面の左側に、前記結果値表示欄で表示される受診者の前記診断結果値の総合成績を表示する点数表示欄と、前記総合成績の全体順位を表示する順位表示欄と、が設けられた、成績表示部と、を備える、健康診断結果表示用紙。
【請求項２】
表面の右側に、複数の項目について、診断結果値に基づいて算出した受診者の健康年齢を表示する健康年齢表示欄が設けられた、健康年齢表示部を備える、請求項１に記載の健康診断結果表示用紙。
【請求項３】
表面の右側に、前記健康年齢について最良な項目と最悪な項目とを順に表示する表示欄が設けられた、順位表示部を備える、請求項２に記載の健康診断結果表示用紙。
【請求項４】
表面の右側に、受診者が自己の健康管理に関する目標を記入する目標記入欄が設けられた、目標記入部を備える、請求項１から請求項３の何れか１項に記載の健康診断結果表示用紙。
【請求項５】
表面の右側に、関連団体の連絡先を示す二次元コードが表示される、請求項１から請求項４の何れか１項に記載の健康診断結果表示用紙。
【手続補正２】
【補正対象書類名】明細書
【補正対象項目名】０００７
【補正方法】変更
【補正の内容】
【０００７】
（１）健康診断の結果を表示する、健康診断結果表示用紙であって、表面の左側に、複数の検査項目に関して、前記検査項目ごとの基準値を表示する基準値表示欄と、前記検査項目における受診者の診断結果値を表示する結果値表示欄と、前記基準値と受診者の前記診断結果値とに基づいて算出された評価点数を表示する評価点数表示欄と、が設けられた、結果表示部と、表面の左側に、前記結果値表示欄で表示される受診者の前記診断結果値の総合成績を表示する点数表示欄と、前記総合成績の全体順位を表示する順位表示欄と、が設けられた、成績表示部と、を備える、健康診断結果表示用紙。
【手続補正３】
【補正対象書類名】明細書
【補正対象項目名】０００８
【補正方法】変更
【補正の内容】
【０００８】
（２）表面の右側に、複数の項目について、診断結果値に基づいて算出した受診者の健康年齢を表示する健康年齢表示欄が設けられた、健康年齢表示部を備える、（１）に記載の健康診断結果表示用紙。
【手続補正４】
【補正対象書類名】明細書
【補正対象項目名】０００９
【補正方法】変更
【補正の内容】
【０００９】
（３）表面の右側に、前記健康年齢について最良な項目と最悪な項目とを順に表示する表示欄が設けられた、順位表示部を備える、（２）に記載の健康診断結果表示用紙。
【手続補正５】
【補正対象書類名】明細書
【補正対象項目名】００１０
【補正方法】変更
【補正の内容】
【００１０】
（４）表面の右側に、受診者が自己の健康管理に関する目標を記入する目標記入欄が設けられた、目標記入部を備える、（１）から（３）の何れか一に記載の健康診断結果表示用紙。
【手続補正６】
【補正対象書類名】明細書
【補正対象項目名】００１１
【補正方法】変更
【補正の内容】
【００１１】
（５）表面の右側に、関連団体の連絡先を示す二次元コードが表示される、（１）から（４）の何れか一に記載の健康診断結果表示用紙。
【手続補正書】
【提出日】令和1年11月12日(2019.11.12)
【手続補正１】
【補正対象書類名】実用新案登録請求の範囲
【補正対象項目名】全文
【補正方法】変更
【補正の内容】
【実用新案登録請求の範囲】
【請求項１】
健康診断の結果を表示する、健康診断結果表示用紙であって、
表面の左側に、複数の検査項目に関して、前記検査項目ごとの基準値を表示する基準  値表示欄と、前記検査項目における受診者の診断結果値を表示する結果値表示欄と、前  記基準値と受診者の前記診断結果値とに基づいて算出された評価点数を表示する評価点  数表示欄と、が設けられた、結果表示部と、
表面の左側に、前記結果値表示欄で表示される受診者の前記診断結果値の総合成績を  表示する点数表示欄と、前記総合成績の全体順位を表示する順位表示欄と、が設けられ  た、成績表示部と、を備え、
表面の右側に、複数の項目について、診断結果値に基づいて算出した受診者の健康年 齢を表示する健康年齢表示欄が設けられた、健康年齢表示部を備える、健康診断結果表  示用紙。
【請求項２】
表面の右側に、前記健康年齢について最良な項目と最悪な項目とを順に表示する表示  欄が設けられた、順位表示部を備える、請求項１に記載の健康診断結果表示用紙。
【請求項３】
表面の右側に、受診者が自己の健康管理に関する目標を記入する目標記入欄が設けら  れた、目標記入部を備える、請求項１又は請求項２に記載の健康診断結果表示用紙。
【手続補正２】
【補正対象書類名】明細書
【補正対象項目名】０００７
【補正方法】変更
【補正の内容】
【０００７】
（１）健康診断の結果を表示する、健康診断結果表示用紙であって、表面の左側に、複  数の検査項目に関して、前記検査項目ごとの基準値を表示する基準値表示欄と、前記検  査項目における受診者の診断結果値を表示する結果値表示欄と、前記基準値と受診者の  前記診断結果値とに基づいて算出された評価点数を表示する評価点数表示欄と、が設け  られた、結果表示部と、表面の左側に、前記結果値表示欄で表示される受診者の前記診  断結果値の総合成績を表示する点数表示欄と、前記総合成績の全体順位を表示する順位  表示欄と、が設けられた、成績表示部と、を備え、表面の右側に、複数の項目につい   て、診断結果値に基づいて算出した受診者の健康年齢を表示する健康年齢表示欄が設け られた、健康年齢表示部を備える、健康診断結果表示用紙。
【手続補正３】
【補正対象書類名】明細書
【補正対象項目名】０００８
【補正方法】変更
【補正の内容】
【０００８】
（２）表面の右側に、前記健康年齢について最良な項目と最悪な項目とを順に表示する  表示欄が設けられた、順位表示部を備える、（１）に記載の健康診断結果表示用紙。
【手続補正４】
【補正対象書類名】明細書
【補正対象項目名】０００９
【補正方法】変更
【補正の内容】
【０００９】
（３）表面の右側に、受診者が自己の健康管理に関する目標を記入する目標記入欄が設  けられた、目標記入部を備える、（１）又は（２）に記載の健康診断結果表示用紙。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】